(57)【要約】【課題】本願発明の課題は、従来技術が抱える問題を解決することであり、すなわちＧＮＳＳの観測結果に基づいて斜面の安定度判定を支援することで、ひいては通行規制の判断に寄与することができる斜面安定度判定支援システムを提供することである。【解決手段】本願発明の斜面安定度判定支援システムは、対象斜面上に設置された観測点を測位衛星によって測位した座標に基づいて、その対象斜面の安定度判定を支援することができるシステムであり、学習手段と予測手段を備えたものである。このうち学習手段は、多数の斜面の学習用斜面データセットに基づいて、変動モデルを生成する手段である。一方の予測手段は、入力された入力用斜面データセットと変動モデルに基づいて、対象斜面の今後の座標変化を予測する手段である。【選択図】図１
2019085712.tif 000002
【特許請求の範囲】
【請求項１】
対象斜面上に設置された観測点を測位衛星によって測位した座標に基づいて、該対象斜面の安定度判定を支援する斜面安定度判定支援システムにおいて、
多数の斜面の学習用斜面データセットを学習する学習手段と、
入力された入力用斜面データセットに基づいて、前記対象斜面の今後の座標変化を予測する予測手段と、を備え、
斜面ごとに用意される前記学習用斜面データセットは、地質情報と地形情報を含む斜面性状データと、一定期間に観測された観測点の座標変化である実績座標変動データと、からなり、
前記入力用斜面データセットは、前記対象斜面の前記斜面性状データと、観測期間に観測された該対象斜面上の前記観測点の座標変化である観測座標変動データと、からなり、
前記学習手段は、前記学習用斜面データセットに基づいて変動モデルを生成し、
前記予測手段は、前記入力用斜面データセット及び前記変動モデルに基づいて該対象斜面の今後の座標の変化である予測座標変動を算出する、
ことを特徴とする斜面安定度判定支援システム。
【請求項２】
前記学習用斜面データセットが、前記斜面性状データに応じて設定される斜面分類データをさらに含み、
前記入力用斜面データセットが、前記斜面分類データをさらに含む、
ことを特徴とする請求項１記載の斜面安定度判定支援システム。
【請求項３】
対象斜面上に設置された観測点を測位衛星によって測位した座標に基づいて、該対象斜面の安定度判定を支援する斜面安定度判定支援システムにおいて、
多数の斜面の学習用斜面データセットを学習する学習手段と、
入力された入力用斜面データセットに基づいて、前記対象斜面の今後の座標変化を予測する予測手段と、を備え、
斜面ごとに用意される前記学習用斜面データセットは、地質情報と地形情報を含む斜面性状データと、該斜面性状データに応じて設定される斜面分類データと、一定期間に観測された観測点の座標変化である実績座標変動データと、からなり、
前記入力用斜面データセットは、前記対象斜面の前記斜面性状データと、観測期間に観測された該対象斜面上の前記観測点の座標変化である観測座標変動データと、からなり、
前記学習手段は、前記学習用斜面データセットの前記斜面分類及び前記実績座標変動データに基づいて該斜面分類ごとに複数の変動テンプレートを生成し、
前記予測手段は、前記入力用斜面データセットの前記斜面性状データに基づいて前記対象斜面をいずれかの前記斜面分類に分類するとともに、分類された該斜面分類に係る複数の前記変動テンプレートの中から前記観測座標変動データに基づいて変動テンプレートを抽出し、抽出された該変動テンプレート及び該観測座標変動データに基づいて該対象斜面の今後の座標の変化である予測座標変動を算出する、
ことを特徴とする斜面安定度判定支援システム。
【請求項４】
測位衛星によって測位される座標は、３成分からなる３次元座標であり、
前記学習手段は、３次元座標を構成する成分ごとに前記変動モデルを生成し、
前記予測手段は、３次元座標を構成する成分ごとに前記予測座標変動を算出する、
ことを特徴とする請求項１乃至請求項３のいずれかに記載の斜面安定度判定支援システム。
【請求項５】
前記予測手段は、前記変動モデルと前記対象斜面の前記観測座標変動データに基づいて算出した前記予測座標変動の確度を求める、
ことを特徴とする請求項１乃至請求項４のいずれかに記載の斜面安定度判定支援システム。
【発明の詳細な説明】
【技術分野】
【０００１】
本願発明は、衛星を用いて継続的に観測した結果を利用して、斜面の安定度判定を支援する技術に関するものであり、より具体的には、人工知能（Ａｒｔｉｆｉｃｉａｌ  Ｉｎｔｅｌｌｉｇｅｎｃｅ：ＡＩ）を用い大量の観測データを処理することによって斜面の安定度判定を支援するシステムに関するものである。
【背景技術】
【０００２】
我が国の国土はその２／３が山地であるといわれており、その結果、斜面を背後とする土地に住居を構えることも多く、道路や線路などは必ずといっていいほど斜面脇を通過する区間がある。そして斜面は、崩壊や地すべりといった災害の可能性を備えており、これまでもたびたび甚大な被害を被ってきた。
【０００３】
そこで、崩壊のおそれがある斜面（自然斜面や、人工的なのり面を含む）、あるいは地すべりの兆候のある斜面では、その動きを監視するため計測が行われることがある。例えば、地すべり兆候のある斜面では、伸縮計や抜き板を利用した計測、孔内傾斜計による計測、地表面変位計測などが実施されていた。しかしながら、伸縮計や抜き板による計測では、地すべり境界（特に頭部）に亘って設置しなければ効果がなく、孔内伸縮計も地すべり深度を正確に推定しなければ効果がない上に、多数箇所設けるとコストがかかるという問題がある。
【０００４】
地表面変位計測は、斜面上に設置した多数の観測点の座標を求め、経時的な変化（つまり変位）を検出することで斜面の動きを監視することから、直接的に異常を把握することができるうえ、伸縮計や孔内傾斜計のようにその効果が計器設置場所に依存しないという特長がある。ただし従来では、トータルステーションなどを用いて人が観測点を測位していたため、大きな手間とコストを余儀なくされていた。
【０００５】
一方、軍事用としてのみ利用されていたＧＰＳ（Ｇｌｏｂａｌ  Ｐｏｓｉｔｉｏｎｉｎｇ  Ｓｙｓｔｅｍ）が１９９０年代になると民生用として利用されるようになり、さらに２０００年には「意図的に精度を落とす仕組み（Ｓｅｌｅｃｔｉｖｅ  Ａｖａｉｌａｂｉｌｉｔｙ：ＳＡ）」も撤廃され、容易かつ高精度に、しかもリアルタイムで現在位置を計測できるようになった。これに伴い、斜面における地表面変位計測でもＧＰＳが活用されるようになり、特許文献１でもＧＰＳ計測によって斜面の変動を判定する発明を開示している。
【先行技術文献】
【特許文献】
【０００６】
【特許文献１】特許第５９１５９１６号公報
【発明の概要】
【発明が解決しようとする課題】
【０００７】
平成２２年には準天頂衛星初号機「みちびき」が上げられるなど、ＧＰＳのほか様々な衛星観測システム（ＧＮＳＳ：Ｇｌｏｂａｌ  Ｎａｖｉｇａｔｉｏｎ  Ｓａｔｅｌｌｉｔｅ  Ｓｙｓｔｅｍ）が利用できるようになってきた。これは、２４時間絶え間なく必要数の衛星が捉えられるようになったことを意味する。平成２９年度には４機の準天頂衛星が整備されており、さらに今後順調に準天頂衛星が上がっていけば、我が国では安定的な衛星測位が確約されることとなり、ＧＮＳＳによる斜面観測がより加速することが予想される。
【０００８】
ところで、斜面が崩壊や地すべりといった災害の可能性を備えていることから、道路や線路等のうち斜面脇を通過する区間では通行規制が行われることがある。災害が発生する前に、道路管理者が「通行止」といった規制を実施することで道路利用者の安全を図るわけである。
【０００９】
従来、道路管理者による通行規制の判断は、大雨や台風あるいは地震による災害を想定し、事前に設定された基準値と計測された雨量や震度を照らし合わせることで行われていた。具体的には、「連続雨量２００ｍｍ」や「時間雨量５０ｍｍ」、あるいは「震度５強」のように基準値を設け、これを超える雨量や震度が計測されたときに「通行止」などの判断を行う。
【００１０】
規制判断の基礎となる基準値は、道路利用者の安全確保という面はもちろん、サービスの提供という面でも極めて重要である。基準値を過小に設定すると道路利用者が災害に遭遇する危険が高まり、基準値を過大に設定すると十分なサービス（道路利用）を提供することができなくなる。このように基準値が与える影響は顕著であることから慎重かつ綿密に設定すべきところ、実際には経験雨量と災害事例の関係などを参考にいわば経験的に設定している。
【００１１】
一方、既述のとおりＧＮＳＳによる斜面観測がこれまで以上に実施しやすい環境になることを考えれば、ＧＮＳＳの観測結果に応じて通行規制の判断を行うという手法が確立することも予測される。しかしながら現状では、ＧＮＳＳによる斜面観測が十分に実施されているとはいえず、すなわちＧＮＳＳの観測結果と斜面崩壊等との因果関係が明確に把握されているわけではない。そのため、ＧＮＳＳの観測結果に異常が検知されたとしても、その異常が通行規制や解除をすべき程度であるか判断することができず、つまりＧＮＳＳ観測に基づいて直接的に通行規制の判断を行うことはできないのが実情である。
【００１２】
本願発明の課題は、従来技術が抱える問題を解決することであり、すなわちＧＮＳＳの観測結果に基づいて斜面の安定度判定を支援することで、ひいては通行規制の判断に寄与することができる斜面安定度判定支援システムを提供することである。
【課題を解決するための手段】
【００１３】
本願発明は、斜面の性状（地質や地形など）を考慮したうえで、ＡＩ（特に機械学習）を用いてＧＮＳＳの観測結果から今後の変動を予測する、という点に着目したものであり、従来にはなかった発想に基づいてなされた発明である。
【００１４】
本願発明の斜面安定度判定支援システムは、対象斜面上に設置された観測点を測位衛星によって測位した座標に基づいて、その対象斜面の安定度判定を支援することができるシステムであり、学習手段と予測手段を備えたものである。このうち学習手段は、多数の斜面の学習用斜面データセットを学習する手段であり、一方の予測手段は、入力された入力用斜面データセットに基づいて、対象斜面の今後の座標変化を予測する手段である。ここで学習用斜面データセットは、斜面ごとに用意されるものであって、地質情報と地形情報を含む斜面性状データと、一定期間に観測された観測点の座標変化である実績座標変動データからなるデータセットであり、また入力用斜面データセットは、対象斜面の斜面性状データと、観測期間に観測された座標変化である計測座標変動データからなるデータセットである。学習手段は、学習用斜面データセットに基づいて複数の変動モデルを生成する。そして予測手段は、入力用斜面データセットと変動モデルに基づいて対象斜面の今後の座標の変化である予測座標変動を算出する。
【００１５】
本願発明の斜面安定度判定支援システムは、学習用斜面データセットが斜面分類データ（斜面性状データに応じて設定される）をさらに含み、入力用斜面データセットが斜面分類データをさらに含むものとすることもできる。
【００１６】
本願発明の斜面安定度判定支援システムは、学習手段が、学習用斜面データセットの斜面分類及び実績座標変動データに基づいて斜面分類ごと、あるいは斜面分類に関わらず複数の変動テンプレートを生成する、ものとすることもできる。この場合の学習用斜面データセットは、斜面性状データと斜面分類データ、実績座標変動データからなり、またこの場合の予測手段は、入力用斜面データセットの斜面性状データに基づいて対象斜面をいずれかの斜面分類に分類するとともに、分類された斜面分類に係る複数の変動テンプレートの中から観測座標変動データに基づいて適当な変動テンプレートを抽出し、抽出されたこの変動テンプレート及び観測座標変動データに基づいて対象斜面の予測座標変動を算出する。
【００１７】
本願発明の斜面安定度判定支援システムは、測位衛星によって測位される３次元座標を処理するシステムとすることもできる。この場合の学習手段は、３次元座標を構成する成分ごとに変動モデルを生成し、予測手段は、３次元座標を構成する成分ごとに予測座標変動を算出する。
【００１８】
本願発明の斜面安定度判定支援システムは、変動モデルと対象斜面の計測座標変動データに基づいて算出した予測座標変動の確度を求めるシステムとすることもできる。
【発明の効果】
【００１９】
本願発明の斜面安定度判定支援システムには、次のような効果がある。
（１）ＧＮＳＳの観測結果に基づいて対象斜面の今後の変動を算出することから、担当者の主観に頼ることなく客観的に予測することができ、またＡＩによって予測することから、担当者による誤判断（ヒューマンエラー）を排除することができ適切な結果を得ることが期待できる。
（２）また、ＡＩを利用した計算であるため極めて短時間で予測することができ、その結果、迅速に通行規制等の措置を取ることができる。
（３）斜面の性状を考慮したうえで今後の変動を予測することから、その斜面に適したより現実的な結果を得ることが期待できる。
【図面の簡単な説明】
【００２０】
【図１】第１の実施形態における本願発明の斜面安定度判定支援システムの主な構成を示すブロック図。
【図２】（ａ）は過去の一定期間に観測された観測座標の時間変化を示すグラフ図、（ｂ）は直近の観測期間に観測された観測座標の時間変化を示すグラフ図、（ｃ）は今後予測される観測座標の時間変化を示すグラフ図。
【図３】学習用斜面データセットを説明するモデル図。
【図４】第３の実施形態における入力用斜面データセットを説明するモデル図。
【図５】斜面ごとに用意される学習用斜面データセットを説明するモデル図。
【図６】入力用斜面データセットを説明するモデル図。
【図７】（ａ）は３次元座標の３成分のうち南北方向の変動を示すグラフ図、（ｂ）は３次元座標の３成分のうち東西方向の変動を示すグラフ図、（ｃ）は３次元座標の３成分のうち鉛直方向の変動を示すグラフ図。
【図８】第２の実施形態における本願発明の斜面安定度判定支援システムの主な構成を示すブロック図。
【図９】１の斜面分類に対して複数の変動テンプレートが関連付けられて記憶されることを説明するモデル図。
【図１０】観測座標変動と抽出した変動テンプレート、予測座標変動の関係を示すグラフ図。
【発明を実施するための形態】
【００２１】
本願発明の斜面安定度判定支援システムは、斜面の安定度判定を支援するものであり、より具体的には、判定しようとする対象の斜面（以下、「対象斜面」という。）に設置した観測点をＧＮＳＳによって測位し、その結果得られる座標（以下、「観測座標」という。）に基づいて当該対象斜面における今後の変動を算出するシステムである。なお、本願発明の斜面安定度判定支援システムは、斜面分類（後述する斜面性状に応じて設定される分類）にかかわらず推定する形態と、斜面分類ごとに推定する形態に大別することができる。そこで、これらを実施形態１〜２としたうえで以下順に説明する。
【００２２】
１．第１の実施形態
本願発明の斜面安定度判定支援システムの第１の実施形態を、図に基づいて説明する。図１は、第１の実施形態における本願発明の斜面安定度判定支援システム１００の主な構成を示すブロック図である。また図２は、ＧＮＳＳによる観測座標の時間変化（以下、時間変化のことを「変動」という。）を表すグラフ図であり、（ａ）は過去の一定期間に観測された観測座標の変動（以下、「実績座標変動」という。）を示すグラフ図、（ｂ）は直近の観測期間に観測された観測座標の変動（以下、「観測座標変動」という。）を示すグラフ図、（ｃ）は今後予測される観測座標の変動（以下、「予測座標変動」という。）を示すグラフ図である。
【００２３】
斜面安定度判定支援システム１００は、図１に示すように学習手段１１１と予測手段１２１を備えたものであり、さらに学習用斜面データセット記憶手段１１２や、変動モデル記憶手段１１３、入力用斜面データセット記憶手段１２２、ディスプレイやプリンタといった出力手段１３１などを備えたものとすることもできる。そして、この斜面安定度判定支援システム１００は、図２（ａ）に示す実績座標変動を含むデータを機械学習による学習を行い、図２（ｂ）に示す観測座標変動を含むデータに基づいて、図２（ｃ）に示す予測座標変動を算出するものであり、この予測座標変動が対象斜面の安定度の評価に寄与するわけである。以下、斜面安定度判定支援システム１００を構成する主な要素ごとに詳しく説明する。
【００２４】
（学習用斜面データセット記憶手段）
図１に示す学習用斜面データセット記憶手段１１２は、多数の学習用斜面データセット２００を記憶する手段であり、この学習用斜面データセット２００は、図３に示すように実績座標変動２０１と斜面性状データ２０２の組み合わせからなるものである。このうち実績座標変動２０１は、既述したとおり過去の一定期間（例えば、数ヶ月間〜数年間）に観測された観測座標の変動（図２（ａ））の記録であり、一方の斜面性状データ２０２は、少なくとも地質情報と地形情報を含むものでその斜面の性状を表すものである。なお、ここでいう地質情報とは、当該斜面を構成する地質を示す情報であり、地形情報とは、数値標高モデル（ＤＥＭ：Ｄｉｇｉｔａｌ  Ｅｌｅｖａｔｉｏｎ  Ｍｏｄｅｌ）や数値表層モデル（ＤＳＭ：Ｄｉｇｉｔａｌ  Ｓｕｒｆａｃｅ  Ｍｏｄｅｌ）、等高線、あるいは横断図や縦断図などによって当該斜面の形状を表す情報である。斜面性状データ２０２は、地質情報と地形情報のほか、盛土や切土、構造物の有無といった当該斜面の構造を示す構造情報などを含むものとすることもできる。学習用斜面データセット２００は、図４に示すように実績座標変動２０１と斜面性状データ２０２に加え斜面分類データ２０３の組み合わせからなるものとすることもできる。ここで斜面分類とは、斜面性状に応じて分けられる区分のことであり、具体的には地質情報と地形情報（あるいは、これに加えて構造情報）の傾向が近似しているものをグループ化するための分類（クラス）である。なおこの斜面分類は、専門技術者等が斜面性状データ２０２に基づいて判断することで付与することができる。
【００２５】
学習用斜面データセット２００は、斜面ごとに用意される。すなわち、斜面ごとに一定期間観測を行うことで実績座標変動２０１を取得し、地質情報と地形情報などを入手することで斜面性状データ２０２を作成して、当該斜面の学習用斜面データセット２００を用意する。例えば図５では、斜面Ａのものとして学習用斜面データセット２００ａが用意され、また斜面Ｂのものとして学習用斜面データセット２００ｂが、・・・斜面Ｚのものとして学習用斜面データセット２００ｚがそれぞれ用意されている。そしてこれらの学習用斜面データセット２００ｚは、学習用斜面データセット記憶手段１１２によって記憶される。なお学習用斜面データセット２００は、後述する学習手段１１１が機械学習（例えば、ディープラーニング等）を行うにあたって利用されるものであるから、その数はできる限り多いほうがよい。
【００２６】
（学習手段）
図１に示す学習手段１１１は、学習用斜面データセット２００を学習する手段であり、多数の学習用斜面データセット２００をもとに変動モデルを生成する手段である。より具体的には、多数の学習用斜面データセット２００を学習（例えば、ディープラーニング等）することによって、実績座標変動２０１と斜面性状データ２０２をパラメータとして予測座標変動（図２（ｃ））を算出するためのモデル（以下、「変動モデル」という。）を生成する。ここで生成された変動モデルは、図１に示すように変動モデル記憶手段１１３に記憶される。
【００２７】
（予測手段）
図１に示す予測手段１２１は、入力用斜面データセットに基づいて対象斜面の予測座標変動を算出する手段である。この入力用斜面データセット３００は、図６に示すように観測座標変動３０１と斜面性状データ２０２の組み合わせからなるものであり、このうち観測座標変動３０１は、既述したとおり直近の観測期間（例えば、数日〜数ヶ月）に観測された観測座標の変動（図２（ｂ））の記録である。なお、当然ながら観測座標変動３０１と斜面性状データ２０２は対象斜面のものである。学習用斜面データセット２００が斜面分類データ２０３を含む場合は、入力用斜面データセット３００も観測座標変動３０１と斜面性状データ２０２に加え斜面分類データ２０３の組み合わせからなるものとするとよい。入力用斜面データセット３００は、図１に示す入力用斜面データセット記憶手段１２２に記憶される。
【００２８】
図１に示すように予測手段１２１は、入力用斜面データセット記憶手段１２２から入力用斜面データセット３００を読み出すとともに、変動モデル記憶手段１１３から変動モデルを読み出し、そしてこの変動モデルと入力用斜面データセット３００に基づいて、今後の予測期間における座標変動である予測座標変動（図２（ｃ））を新たに算出する。
【００２９】
（予測座標変動の種類）
通常、ＧＮＳＳによって得られる観測座標は３次元座標であり、図７に示すように３次元座標を構成する成分ごとに座標変動を求めることが多い。例えば図７（ａ）では３成分のうち南北方向の変動を示しており、また図７（ｂ）では東西方向の変動を、図７（ｃ）では鉛直方向の変動をそれぞれ示している。したがって斜面安定度判定支援システム１００においても、学習手段１１１が座標成分ごと（例えば、Ｘ軸，Ｙ軸，Ｚ軸ごと）に変動モデルを生成するとともに、予測手段１２１が座標成分ごとに予測座標変動を算出する仕様とすることができる。あるいは、斜面性状データ２０２と座標成分ごとの座標変動をすべて合わせて多次元のテンソルとして扱い、学習手段１１１が１の観測点に対して１の変動モデルを生成するとともに、予測手段１２１が１の観測点に対して１の予測座標変動を算出する仕様とすることもできる。
【００３０】
また、一般的には１の斜面に対して複数の観測点が設置される。そこで、斜面安定度判定支援システム１００の学習手段１１１が観測点ごとに変動モデルを生成するとともに、予測手段１２１が観測点ごとに予測座標変動を算出する仕様としてもよい。先に学習用斜面データセット２００は斜面ごとに用意されると説明したが、この場合は１の斜面に対して複数の（つまり、その斜面に設置された観測点の数だけ）学習用斜面データセット２００が用意される。なお、１の斜面に対して複数の観測点が設置される場合であっても、斜面性状データ２０２と複数の観測点の座標変動をすべて合わせて多次元のテンソルとして扱い、学習手段１１１が１の斜面に対して１の変動モデルを生成するとともに、予測手段１２１が１の斜面に対して１の予測座標変動を算出する仕様としてもよい。
【００３１】
（予測座標変動の確度）
斜面安定度判定支援システム１００は、予測手段１２１が算出した予測座標変動の確度（ロバスト性）を求めるものとすることもできる。この場合、入力用斜面データセット３００と、変動モデル記憶手段１１３から読出した変動モデル、算出した予測座標変動との関係に基づいて、予測座標変動の確度を求めることができる。
【００３２】
２．第２の実施形態
本願発明の観測システムの実施形態の第２の例を、図８〜１０に基づいて説明する。なお、第１の実施形態で説明した内容と重複する説明は避け、第２の実施形態に特有の内容のみ説明することとする。すなわち、ここに記載されていない内容は、第１の実施形態で説明したものと同様である。
【００３３】
（学習手段）
図８は、第２の実施形態における斜面安定度判定支援システム１００の主な構成を示すブロック図である。この図に示すように本実施形態の学習手段１１１は、斜面性状データと斜面分類の関係を表す「斜面分類相関モデル」を生成する。具体的には、多数の学習用斜面データセット２００を学習することによって、斜面性状データ２０２をパラメータとして斜面分類を求めるためのモデルである「斜面分類相関モデル」を生成する。ここで生成された斜面分類相関モデルは、斜面分類相関モデル記憶手段１１４に記憶される。
【００３４】
また学習手段１１１は、図８に示すように変動テンプレートを生成する。具体的には、データマイニングの手法（例えば、クラスター分析など）を用いて多数の学習用斜面データセット２００を解析することによって、斜面分類ごとに実績座標変動データの傾向が近似しているものをグループ化し、そのグループ（以下、「座標変動グループ」という。）を代表する座標変動データである「変動テンプレート」をデータマイニング手法、統計的手法（例えば、回帰分析など）やシミュレーションなどによって生成する。なお、同じ斜面分類であってもその斜面の挙動は多種多様であることから、通常は１の斜面分類に対して多数の座標変動グループ（すなわち、変動テンプレート）が生成される。ここで生成された変動テンプレートは、図９に示すように斜面分類と関連付けられたうえで変動テンプレート記憶手段１１５に記憶される。
【００３５】
（予測手段）
図８に示す予測手段１２１は、入力用斜面データセットに基づいて対象斜面の予測座標変動を算出する手段である。より具体的には、入力用斜面データセット記憶手段１２２から入力用斜面データセット３００を読み出すとともに、斜面分類相関モデル記憶手段１１４から斜面分類相関モデルを読み出し、入力用斜面データセット３００と斜面分類相関モデル記憶手段１１４に基づいて対象斜面に対して適当な斜面分類を付与する。そして、その斜面分類に関連付けられた変動テンプレート（図９）の中から、入力用斜面データセット３００の観測座標変動３０１を参照しつつ適当な変動テンプレートを抽出し、その変動テンプレートに基づいて予測座標変動を算出する。このとき予測手段１２１は、入力用斜面データセット３００と抽出した変動テンプレートとの関係に応じて、抽出した変動テンプレートを加工することで、あるいはそのまま用いることで予測座標変動を算出する。図１０は、観測座標変動３０１と抽出した変動テンプレート、そして予測座標変動（この場合は変動テンプレートをそのまま用いている）の関係を示すグラフ図である。
【産業上の利用可能性】
【００３６】
本願発明の斜面安定度判定支援システムは、自然斜面や、切土のり面、盛土のり面のほか、ダムやビルなどの大規模構造物、埋立地や軟弱地盤地の変動を予測する際にも利用することができる。本願発明が、的確な通行規制判断に寄与し、すなわち道路利用者の安全を図りつつ適切な道路利用サービスを提供することを考えれば、産業上利用できるばかりでなく、社会的にも大きな貢献を期待し得る発明である。
【符号の説明】
【００３７】
１００  斜面安定度判定支援システム
１１１  （斜面安定度判定支援システムの）学習手段
１１２  （斜面安定度判定支援システムの）学習用斜面データセット記憶手段
１１３  （斜面安定度判定支援システムの）変動モデル記憶手段
１１４  （斜面安定度判定支援システムの）斜面分類相関モデル記憶手段
１１５  変動テンプレート記憶手段
１２１  （斜面安定度判定支援システムの）予測手段
１２２  （斜面安定度判定支援システムの）入力用斜面データセット記憶手段
１３１  （斜面安定度判定支援システムの）出力手段
２００  学習用斜面データセット
２０１  実績座標変動
２０２  斜面性状データ
２０３  斜面分類データ
３００  入力用斜面データセット
３０１  観測座標変動
【図１】
2019085712.tif 000003
【図２】
2019085712.tif 000004
【図３】
2019085712.tif 000005
【図４】
2019085712.tif 000006
【図５】
2019085712.tif 000007
【図６】
2019085712.tif 000008
【図７】
2019085712.tif 000009
【図８】
2019085712.tif 000010
【図９】
2019085712.tif 000011
【図１０】
2019085712.tif 000012